(57)【要約】      （修正有）【課題】持ち歩きやすく、机の上に置かれて使用可能な粘着付箋ディスペンサーを提供する。【解決手段】外観が対称的に設けられた筐体上部１０、筐体下部１２を組み合わせてなる扁形なディスペンサーであり、該筐体上部１０、該筐体下部１２周縁の内側面にはそれぞれ、嵌め合うための突出縁部１２２と凹み縁部１０５が設置、それらを嵌め合わせてなるディスペンサーであり、該ディスペンサーは、オリジナルなデザインの外観を有すると同時に、持ち歩きやすく、机の上に置かれて使用可能で、その内部には、複数の粘着付箋セット３を納めるための複数の収納スペース１４が設置され、各粘着付箋セット３はそれぞれ、一つの長い開口部１０１や複数の開口部に対応し、別々取り出されることになっている。【選択図】図１
0003196518.tif 000002
【実用新案登録請求の範囲】
【請求項１】
外観が対称的に設けられた筐体上部、筐体下部を備えてなる扁形なディスペンサーであり、該筐体上部、該筐体下部周縁の内側面にはそれぞれ、嵌め合うための突出縁部と凹み縁部が設置され、それを嵌め合わせてなるディスペンサーであり、該ディスペンサーにあっては、該筐体上部の内部は仕切板で、複数の収納スペースに仕切られ、そこに、複数の粘着付箋セットがそれぞれ納められており、各粘着付箋セットは、該ディスペンサーの上部にある一つの長い開口部、または該ディスペンサー周縁の複数の開口部に対応して、それぞれ引き出されるように構成されていることを特徴とする粘着付箋ディスペンサー。
【請求項２】
該筐体上部、該筐体下部を組み合わせてなる扁形なディスペンサーであり、該ディスペンサーは平らな円形に設けられており、該筐体上部と該筐体下部の内側面の四周にそれぞれ、対応する複数の凹み穴とリブが設置され、該筐体上部、該筐体下部をそこへ嵌め込ませてディスペンサーをなすが、該ディスペンサー内の仕切板は、四枚の丸くカーブした仕切板が該筐体上部の内面に周設され、該四枚の丸くカーブした仕切板の外側周面はそれぞれ、該筐体上部と該筐体下部周縁の内側面との間に、周りを回って通じている一つのリング状切り込みの収納スペースに仕切られ、該四枚の丸くカーブした仕切板の内側は、一つの方形切り込みの収納スペースが形成されており、該リング状切り込みの収納スペースは、環状に並べられ、四つのスティック状粘着付箋セットはそれぞれ、そこに納められ、それらに対応する該ディスペンサー周縁にある複数の開口部から取り出されることになっており、該方形切り込みの収納スペースには、一つの方形粘着付箋セットを納められ、該方形粘着付箋セットはそれに対応する該長い開口部から取り出されるように構成されていることを特徴とする請求項１に記載の粘着付箋ディスペンサー。
【請求項３】
該筐体上部、該筐体下部を組み合わせてなる扁形なディスペンサーであり、該ディスペンサーは平らな方形に設けられており、該筐体上部と該筐体下部の内側面の四周にそれぞれ、対応する複数の凹み穴とリブが設置され、該筐体上部、該筐体下部をそこへ嵌め込ませてディスペンサーをなすが、該ディスペンサーは内部仕切板で、複数の収納スペースに仕切られ、内部仕切板は方形仕切板で、該筐体上部の内面に設けられ、該方形仕切板の外側はそれぞれ、該筐体上部と該筐体下部周縁の内側面との間は、周りを回って通じている一つの細長切り込の収納スペースに仕切られ、該方形仕切板の内側は、一つの方形切り込みの収納スペースが形成されており、該細長切り込の収納スペースは環状に並べられ、四つのスティック状粘着付箋セットはそれぞれ、そこに納められ、それらに対応する該ディスペンサー周縁にある複数の開口部から取り出されることになっており、該方形切り込みの収納スペースには、一つの方形粘着付箋セットを納められ、該方形粘着付箋セットはそれに対応する該長い開口部から取り出されるように構成されていることを特徴とする請求項１に記載の粘着付箋ディスペンサー。
【請求項４】
該筐体上部、該筐体下部を組み合わせてなる扁形なディスペンサーであり、該ディスペンサーはハート形に設けられており、該筐体上部と該筐体下部の内側面の四周にそれぞれ、対応する複数の凹み穴とリブが設置され、該筐体上部、該筐体下部をそこへ嵌め込ませて、ディスペンサーをなすが、該ディスペンサーは内部仕切板で、複数の収納スペースに仕切られ、内部仕切板は方形仕切板で、該筐体上部の内面に設けられ、該ディスペンサー内では、該方形仕切板の外側両側はそれぞれ、該筐体上部と該筐体下部周縁の内側面に沿って、対称となりながら、相互に通じない一つの長い曲線状切り込みの収納スペースに仕切られ、該方形仕切板の内側は、一つの方形切り込みの収納スペースが形成されており、該長い曲線状切り込みの収納スペース内にはそれぞれ並んでいる、二つのスティック状粘着付箋セットが納められ、それらに対応する該ディスペンサー周縁にある二つの開口部から取り出されることになっており、該方形切り込みの収納スペースには、一つの方形粘着付箋セットを納められ、該方形粘着付箋セットはそれに対応する該長い開口部から取り出されるように構成されていることを特徴とする請求項１に記載の粘着付箋ディスペンサー。
【請求項５】
該筐体上部、該筐体下部を組み合わせてなる扁形なディスペンサーであり、該ディスペンサーはハート形に設けられており、該筐体上部と該筐体下部の内側面の四周にそれぞれ、対応する複数の凹み穴とリブが設置され、該筐体上部、該筐体下部をそこへ嵌め込ませて、ディスペンサーをなすが、該ディスペンサーは内部仕切板で、複数の収納スペースに仕切られ、内部仕切板は方形仕切板で、該筐体上部の内面に設けられ、該ディスペンサー内では、該方形仕切板の外側両側はそれぞれ、該筐体上部と該筐体下部の花びら状周縁の内側面に沿って、対称となりながら、相互に通じない複数の曲線状切り込みの収納スペースに仕切られ、該方形仕切板の内側は、一つの方形切り込みの収納スペースが形成されており、該ディスペンサー内の複数の曲線状切り込みの収納スペース内にはそれぞれ並んでいる、一つのスティック状粘着付箋セットが納められ、それらに対応する該ディスペンサー周縁にある複数の開口部から取り出されることになっており、該方形切り込みの収納スペースには、一つの方形粘着付箋セットを納められ、該方形粘着付箋セットはそれに対応する該長い開口部から取り出されるように構成されていることを特徴とする請求項１に記載の粘着付箋ディスペンサー。
【考案の詳細な説明】
【技術分野】
【０００１】
本考案は、外観が対称的に設けられた筐体上部、筐体下部を備えてなる扁形なディスペンサーであり、複数の粘着付箋セットを納め、使用することができる粘着付箋ディスペンサーを提供する。  
【背景技術】
【０００２】
粘着付箋紙・メモはいつでも、重要事項の書き入れ、メモ書きや連絡事項によく用いられるものであり、よくある粘着付箋紙・メモは、複数の紙を重ねてなり、各紙の同じ側の底面にある縁部の局所に、適当な粘着力を有する裏側が形成され、利用有効期間を延ばし、繰り返し使用可能という効果があり、使用のとき、ユーザは実際なニーズや好みにより、異なるサイズの粘着付箋を選び出したり、自ら補充したりすることができる粘着付箋セットである。
【０００３】
取り外してすぐ使えるというメリットで、多くの人たちに愛用されている粘着付箋だが、長時間使用されたあと、使用者はその一枚を取り外そうとしても、付箋セットから簡単に取り外せないことから、まず、片手で付箋セットを押さえながら、もう一方の片手で、それをうまく取り外せるようになることが分かること、粘着付箋は薄い紙を使用され、その一枚を取り外されたあと、続いて、必ず同じ動作を行って取り外されることになっており、ガイド装置がなければ、取り外して使用するのが更に難しくなることから、粘着付箋ディスペンサーを作り、粘着付箋をうまく取り外し、上述した問題を解決することができる。しかし、携帯用粘着付箋ディスペンサーは体積的に、持ち歩くには、ディスペンサーの利用空間を適当に仕切られ、軽くて薄いサイズが求められ、そして、複数の粘着付箋セットを共に持ち歩くことが必要となるため、ディスペンサー構造空間の仕切り、及び機能的要求、見た目のよさを業者が努力するオリジナルな目標である。
【考案の概要】
【考案が解決しようとする課題】
【０００４】
本考案は、オリジナルなデザインであると同時に、持ち歩きやすく、机の上に置かれて使用可能で、それに、異なるタイプの粘着付箋を納められ、一枚付箋を取り出すと、次の一枚が該ディスペンサーの外側へ出てくる、という連続して取り出せる仕組みになっている粘着付箋ディスペンサーを提供することを目的とする。  
【課題を解決するための手段】
【０００５】
上述した目的を達成させるため、本考案では、外観が対称的に設けられた筐体上部、筐体下部を備えてなる扁形なディスペンサーであり、該筐体上部、該筐体下部周縁の内側面にはそれぞれ、嵌め合うための突出縁部と凹み縁部が設置、それを嵌め合わせてなる扁形なディスペンサーであり、該組み立てられたディスペンサーの内部には、複数の粘着付箋セットを納めるための複数の収納スペースが設置され、各粘着付箋セットはそれぞれ、一長い開口部や複数の開口部に対応し、別々取り出されることになっており、一枚付箋を取り出すと、次の一枚が該ディスペンサーの外側へ出てくる仕組みになっており、粘着付箋が使い切れたとき、該筐体上部、該筐体下部を取り外して、そこへ、粘着付箋の詰め替えや補充を行うことに設けられている粘着付箋ディスペンサーを提供することを特徴とする。
【０００６】
上述した該筐体上部、該筐体下部は、透明または不透明なものに設けられることを特徴とする。
【０００７】
上述した該筐体上部、該筐体下部の周縁にはそれぞれ、嵌め合うための凹み縁部と突出縁部が設置され、ディスペンサーの組立てをよりしっかり確実に行わせ、平行抵抗力を高め、落下しても、簡単な形崩れしないように設けられることを特徴とする。
【０００８】
上述した粘着付箋ディスペンサーは、外観が平らな円形、平らな方形、平らなハート形または花びらの形をし、該ディスペンサーの内部は仕切板で、複数の収納スペースに仕切られ、複数のスティック状粘着付箋セット、方形粘着付箋セットを納めるための収納スペースに設けられていることを特徴とする。  
【０００９】
上述した該筐体上部と該筐体下部の内側面の四周にそれぞれ、対応する凹み穴とリブが設置、該筐体上部、該筐体下部をそこへ嵌め込ませて、ディスペンサーに設けられることを特徴とする。
【図面の簡単な説明】
【００１０】
【図１】本考案の平らな円形粘着付箋ディスペンサーの分解イメージ図である。
【図２】本考案の平らな円形粘着付箋ディスペンサーの組立配置イメージ図である。
【図３】本考案の平らな円形粘着付箋ディスペンサーの組立完了のイメージ図である。
【図４】本考案の平らな円形粘着付箋ディスペンサーの組立完了の上部断面図である。
【図５】本考案の平らな方形粘着付箋ディスペンサーの分解イメージ図である。
【図６】本考案の平らな方形粘着付箋ディスペンサーの組立配置イメージ図である。
【図７】本考案の平らな方形粘着付箋ディスペンサーの組立完了のイメージ図である。
【図８】本考案の平らな方形粘着付箋ディスペンサーの組立完了の上部断面図である。
【図９】本考案の平らなハート形粘着付箋ディスペンサーの分解イメージ図である。
【図１０】本考案の平らなハート形粘着付箋ディスペンサーの組立完了のイメージ図である。
【図１１】本考案の平らなハート形粘着付箋ディスペンサーの組立完了の上部断面図である。
【図１２】本考案の花びら状粘着付箋ディスペンサーの分解イメージ図である。
【図１３】本考案の花びら状粘着付箋ディスペンサーの組立完了のイメージ図である。
【図１４】本考案の花びら状粘着付箋ディスペンサーの組立完了の上部断面図である。
【考案を実施するための形態】
【００１１】
図１〜図４に示すのは、本考案の平らな円形の粘着付箋ディスペンサーの実施例イメージ図で、持ち歩きやすく、複数の粘着付箋セットを納め、机の上に置かれ、そこから取り外して使用できるものであり、本考案の粘着付箋ディスペンサーは平らな円形をし、外観が対称的に設けられた筐体上部（１０）、筐体下部（１２）を組み合わせてなる平らな円形ディスペンサー（１）であり、該筐体上部（１０）と該筐体下部（１２）は透明または不透明な円形筐体であり、該ディスペンサー（１）は、該筐体上部（１０）の内部は仕切板で、複数の収納スペースに仕切られ、そこに、複数の粘着付箋セットをそれぞれ納められることになっており、各粘着付箋セットはそれぞれ、一長い開口部（１０１）や複数の開口部（１１）に対応し、別々取り出されることになっており、該長い開口部（１０１）は、該筐体上部（１０）の表面に設置された長方形の開口部であり、該複数の開口部（１１）は方形をし、それぞれ該ディスペンサー（１）の周縁に設置、各開口部（１１）は、該筐体上部（１０）と該筐体下部（１２）の周縁にある、対称の二切込み口（１０２，１２０）を組み合わせてなり、該ディスペンサー（１）内の仕切板は、四枚の丸くカーブした仕切板（１０３）が該筐体上部（１０）の内面に周設され、該ディスペンサー（１）内では、該四枚の丸くカーブした仕切板（１０３）の外側面はそれぞれ、該筐体上部（１０）と該筐体下部（１２）周縁の内側面との間に、周りを回って通じている一リング状切り込みの収納スペース（１３）が仕切られており、該四枚の丸くカーブした仕切板（１０３）の内側は、一方形切り込みの収納スペース（１４）が形成される。
【００１２】
上述した該ディスペンサー（１）の組立てでは、該筐体上部（１０）と該筐体下部（１２）内側面の四周にそれぞれ、対応する一凹み穴（１０４）と一リブ（１２１）が設置、該筐体上部（１０）、該筐体下部（１２）をそこへ嵌め込ませて、平らな円形ディスペンサー（１）に設けられており、該ディスペンサー（１）の組立てをより確実に行わせ、簡単な形崩れしないように、該筐体上部（１０）と該筐体下部（１２）の周縁にはそれぞれ、嵌め合うための一凹み縁部（１０５）と一突出縁部（１２２）が設置、よりしっかりと組み立てられ、水平抵抗力を高めるように設けられている。
【００１３】
上述した該リング状切り込みの収納スペース（１３）は環状に並べられ、四つのスティック状粘着付箋セット（２）はそれぞれ、そこに納められ、それらに対応する該ディスペンサー（１）の周縁にある複数の開口部（１１）から取り出されることになっており、該方形切り込みの収納スペース（１４）は、該方形粘着付箋セット（３）を納めるためのスペースに供され、該方形粘着付箋セット（３）はそれに対応する該長い開口部（１０１）から取り出される。
【００１４】
図５〜８に示すのは、本考案のもう一つの方形粘着付箋ディスペンサーの実施例イメージ図で、外観が平らな方形をしているディスペンサー（４）は透明または不透明な方形をし、外観が対称的に設けられた一筐体上部（４０）と一筐体下部（４２）を組み合わせてなる平らな方形ディスペンサー（４）であり、該ディスペンサー（４）の内部は内部仕切板で、複数の収納スペースに仕切られ、そこに、複数の粘着付箋セットをそれぞれ納められることになっており、各粘着付箋セットはそれぞれ、一長い開口部（４０１）や複数の開口部（４１）に対応し、別々取り出されることになっており、該長い開口部（４０１）は、該筐体上部（４０）の表面に設置された長方形の開口部であり、該複数の開口部（４１）は方形をし、それぞれ該ディスペンサー（４）の周縁に設置、各開口部（４１）は、該筐体上部（４０）と該筐体下部（４２）の周縁にある、対称した二切込み口（４０２，４２０）を組み合わせてなり、該ディスペンサー（４）の内部仕切板は方形仕切板（４０３）で、該筐体上部（４０）の内面に設けられ、該ディスペンサー（４）内では、該方形仕切板（４０３）の外側はそれぞれ、該筐体上部（４０）と該筐体下部（４２）周縁の内側面との間に、周りを回って通じている一細長切り込みの収納スペース（４３）が仕切られ、該方形仕切板（４０３）の内側は、一方形切り込みの収納スペース（４４）が形成される。
【００１５】
該ディスペンサー（４）の組立てでは、該筐体上部（４０）と該筐体下部（４２）の内側面の四周にそれぞれ、対応する一凹み穴（４０４）と一リブ（４２１）が設置、該筐体上部（４０）、該筐体下部（４２）をそこへ嵌め込ませて、平らな方形ディスペンサー（４）に設けられており、該ディスペンサー（４）の組立てをより確実に行わせ、簡単な形崩れしないように、該筐体上部（４０）と該筐体下部（４２）の周縁にはそれぞれ、嵌め合うための一凹み縁部（４０５）と一突出縁部（４２２）が設置、よりしっかりと組み立てられ、水平抵抗力を高めるように設けられている。
【００１６】
上述した該細長切り込の収納スペース（４３）は環状に並べられ、四つのスティック状粘着付箋セット（２）はそれぞれ、そこに納められ、それらに対応する該ディスペンサー（４）の周縁にある複数の開口部（４１）から取り出されることになっており、該方形切り込みの収納スペース（４４）は、該方形粘着付箋セット（３）を納めるためのスペースに供され、該方形粘着付箋セット（３）はそれに対応する該長い開口部（４０１）から取り出される。
【００１７】
図９〜図１１に示すように、本考案のハート形の粘着付箋ディスペンサーの実施例イメージ図であり、該ディスペンサー（５）はハート形をし、外観が対称的に設けられた、透明または不透明な筐体上部（５０）と筐体下部（５２）を組み合わせてなる平らなハート形のディスペンサー（５）であり、該ディスペンサー（５）は内部仕切板で、複数の収納スペースに仕切られ、そこに複数の粘着付箋セットを納められることになっており、各粘着付箋セットはそれぞれ、一長い開口部（５０１）や複数の開口部（５１）に対応し、別々取り出されることになっており、該長い開口部（５０１）は、該筐体上部（５０）の表面に設置された長方形の開口部であり、該複数の開口部（５１）は方形をし、それぞれ該ディスペンサー（５）の周縁に設置、各開口部（５１）は、該筐体上部（５０）と該筐体下部（５２）の周縁にある、対称した二切込み口（５０２，５２０）を組み合わせてなり、該ディスペンサー（５）の内部仕切板は、該筐体上部（５０）の内面に設けられた一方形仕切板（５０３）であり、該ディスペンサー（５）内では、該方形仕切板（５０３）の外側両側はそれぞれ、該筐体上部（５０）と該筐体下部（５２）周縁の内側面に沿って、対称しながら、相互に通じない一長い曲線状切り込みの収納スペース（５３）が仕切られ、該方形仕切板（５０３）の内側は、一方形切り込みの収納スペース（５４）が形成されている。
【００１８】
該ディスペンサー（５）の組立てでは、該筐体上部（５０）と該筐体下部（５２）内側面の四周にそれぞれ、対応する一凹み穴（１０４）と一リブ（１２１）が設置、該筐体上部（５０）、該筐体下部（５２）をそこへ嵌め込ませて、平らなハート形のディスペンサー（５）に設けられており、該ディスペンサー（５）の組立てをより確実に行わせ、簡単な形崩れしないように、該筐体上部（５０）と該筐体下部（５２）の周縁にはそれぞれ、嵌め合うための一凹み縁部（５０５）と一突出縁部（５２２）が設置、よりしっかりと組み立てられ、水平抵抗力を高めるように設けられている。
【００１９】
上述した該ディスペンサー（５）内の両側にある該長い曲線状切り込みの収納スペース（５３）内にはそれぞれ並んでいる、二つのスティック状粘着付箋セット（２）が納められ、それらに対応する該ディスペンサー（５）周縁にある二つの開口部（５１）から取り出されることになっており、該方形切り込みの収納スペース（５４）には、方形粘着付箋セット（３）を納められ、該方形粘着付箋セット（３）はそれに対応する該長い開口部（５０１）から取り出されることになっている。
【００２０】
図１２〜図１４に示すのは、本考案の花びら状の粘着付箋ディスペンサーの実施例イメージ図であり、該ディスペンサー（６）は花びら状の形をし、外観が対称的に設けられた、透明または不透明な筐体上部（６０）と筐体下部（６２）を組み合わせてなる花びら状のディスペンサー（６）であり、該ディスペンサー（６）は内部仕切板で、複数の収納スペースに仕切られ、そこに複数の粘着付箋セットを納められることになっており、各粘着付箋セットはそれぞれ、一長い開口部（６０１）や複数の開口部（６１）に対応し、別々取り出されることになっており、該長い開口部（６０１）は、該筐体上部（６０）の表面に設置された長方形の開口部であり、該複数の開口部（６１）は方形をし、それぞれ該ディスペンサー（６）の周縁に設置、各開口部（６１）は、該筐体上部（６０）と該筐体下部  （６２）の周縁にある、対称の二切込み口（６０２，６２０）を組み合わせてなり、該ディスペンサー（６）の内部仕切板は方形仕切板（６０３）で、該筐体上部（６０）の内面に設けられており、該ディスペンサー（６）内では、該方形仕切板（６０３）の外側はそれぞれ、該筐体上部（６０）と該筐体下部（６２）の花びら状周縁の内側面に沿って、対称しながら、相互に通じない複数の曲線状切り込みの収納スペース（６３）に仕切られ、該方形仕切板（６０３）の内側は、一方形切り込みの収納スペース（６４）が形成されている。
【００２１】
該ディスペンサー（６）の組立てでは、該筐体上部（６０）と該筐体下部（６２）内側面の四周にそれぞれ、対応する一凹み穴（６０４）と一リブ（６２１）が設置、該筐体上部（６０）、該筐体下部（６２）をそこへ嵌め込ませて、花びら状のディスペンサー（６）に設けられており、該ディスペンサー（６）の組立てをより確実に行わせ、簡単な形崩れしないように、該筐体上部（６０）と該筐体下部（６２）の周縁にはそれぞれ、嵌め合うための一凹み縁部（６０５）と一突出縁部（６２２）が設置、よりしっかりと組み立てられ、水平抵抗力を高めるように設けられている。
【００２２】
上述した該ディスペンサー（６）における複数の該曲線状切り込みの収納スペース（６３）内にはそれぞれ並んでいる、一つのスティック状粘着付箋セット（２）が納められ、それらに対応する該ディスペンサー（６）周縁にある複数の開口部（６１）から取り出されることになっており、該方形切り込みの収納スペース（６４）には、方形粘着付箋セット（３）を納められ、該方形粘着付箋セット（３）はそれに対応する該長い開口部（６０１）から取り出されることになっている。
【００２３】
上述した本考案の二タイプの四種類の粘着付箋ディスペンサー実施例は、ディスペンサーの外観が平らな円形、平らな方形、平らなハート形と花びら状タイプに分かれ、オリジナルなデザインであると同時に、持ち歩きやすく、机の上に置かれて使用可能で、それに、異なるタイプの粘着付箋を納められ、一枚付箋を取り出すと、次の一枚が該ディスペンサーの外側へ出てくる、という連続して取り出せる仕組みになっており、粘着付箋が使い切れたとき、両手の指で、四周の開口部を開けると、ディスペンサーが開くことになり、そこへ、粘着付箋の詰め替えや補充を行って、更に、該筐体上部、該筐体下部を組み合わせると、ディスペンサーを続けて使用できるようになる。
【００２４】
ただし、上述したのは、本考案の好適な実施例のみが掲示された内容であり、それを以って、本考案の実施範囲を制限してはならず、本考案の特許請求範囲や本明細書に基づき、その構造の改造、変化などを簡単に行い、それと同等な効果を得たとしても、それらは全て本考案の特許請求範囲に含まれることとする。
【符号の説明】
【００２５】
（１）          ディスペンサー
（１０）        筐体上部
（１０１）      長い開口部
（１０２）      切込み口
（１０３）      丸くカーブした仕切板
（１０４）      凹み穴
（１０５）      凹み縁部
（１１）        開口部
（１２）        筐体下部
（１２０）      切込み口
（１２１）      リブ
（１２２）      突出縁部
（１３）        リング状切り込みの収納スペース
（１４）        方形切り込みの収納スペース
（２）          スティック状粘着付箋セット
（３）          方形粘着付箋セット
（４）          ディスペンサー
（４０）        筐体上部
（４０１）      長い開口部
（４０２）      切込み口
（４０３）      方形仕切板
（４０４）      凹み穴
（４０５）      凹み縁部
（４１）        開口部
（４２）        筐体下部
（４２０）      切込み口
（４２１）      リブ
（４２２）      突出縁部
（４３）        細長切り込の収納スペース
（４４）        方形切り込みの収納スペース
（５）          ディスペンサー
（５０）        筐体上部
（５０１）      長い開口部
（５０２）      切込み口
（５０３）      方形仕切板
（５０４）      凹み穴
（５０５）      凹み縁部
（５１）        開口部
（５２）        筐体下部
（５２０）      切込み口
（５２１）      リブ
（５２２）      突出縁部
（５３）        長い曲線状切り込みの収納スペース
（５４）        方形切り込みの収納スペース
（６）          ディスペンサー
（６０）        筐体上部
（６０１）      長い開口部
（６０２）      切込み口
（６０３）      方形仕切板
（６０４）      凹み穴
（６０５）      凹み縁部
（６１）        開口部
（６２）        筐体下部
（６２０）      切込み口
（６２１）      リブ
（６２２）      突出縁部
（６３）        曲線状切り込みの収納スペース
（６４）        方形切り込みの収納スペース
【図１】
0003196518.tif 000003
【図２】
0003196518.tif 000004
【図３】
0003196518.tif 000005
【図４】
0003196518.tif 000006
【図５】
0003196518.tif 000007
【図６】
0003196518.tif 000008
【図７】
0003196518.tif 000009
【図８】
0003196518.tif 000010
【図９】
0003196518.tif 000011
【図１０】
0003196518.tif 000012
【図１１】
0003196518.tif 000013
【図１２】
0003196518.tif 000014
【図１３】
0003196518.tif 000015
【図１４】
0003196518.tif 000016
【手続補正書】
【提出日】平成27年1月8日(2015.1.8)
【手続補正１】
【補正対象書類名】実用新案登録請求の範囲
【補正対象項目名】請求項５
【補正方法】変更
【補正の内容】
【請求項５】
該筐体上部、該筐体下部を組み合わせてなる扁形なディスペンサーであり、該ディスペンサーは花びら状に設けられており、該筐体上部と該筐体下部の内側面の四周にそれぞれ、対応する複数の凹み穴とリブが設置され、該筐体上部、該筐体下部をそこへ嵌め込ませて、ディスペンサーをなすが、該ディスペンサーは内部仕切板で、複数の収納スペースに仕切られ、内部仕切板は方形仕切板で、該筐体上部の内面に設けられ、該ディスペンサー内では、該方形仕切板の外側両側はそれぞれ、該筐体上部と該筐体下部の花びら状周縁の内側面に沿って、対称となりながら、相互に通じない複数の曲線状切り込みの収納スペースに仕切られ、該方形仕切板の内側は、一つの方形切り込みの収納スペースが形成されており、該ディスペンサー内の複数の曲線状切り込みの収納スペース内にはそれぞれ並んでいる、一つのスティック状粘着付箋セットが納められ、それらに対応する該ディスペンサー周縁にある複数の開口部から取り出されることになっており、該方形切り込みの収納スペースには、一つの方形粘着付箋セットを納められ、該方形粘着付箋セットはそれに対応する該長い開口部から取り出されるように構成されていることを特徴とする請求項１に記載の粘着付箋ディスペンサー。